(57)【要約】【課題】空中の特定の領域に表示される画像の視認性又は表示される情報を補填する。【解決手段】空中ディスプレイ４及び液晶パネル３への表示制御を行う制御部１５は、画像が表示されている空中ディスプレイ４に人が近付いたことが検出されると、その画像を液晶パネル３に表示させ、その後は、その者に液晶パネル３を操作させる。複数の者が空中ディスプレイ４に近付いた場合、液晶パネル３を画面分割し、各ユーザに分割画面を割り当てる。【選択図】図１
2019138945.tif 000002
【特許請求の範囲】
【請求項１】
空中の特定の領域への画像の表示を制御すると共に、ユーザが前記特定の領域に近付いたことが検出された場合、画像を空中以外の表示手段に表示させるよう制御する制御手段を有する情報処理装置。
【請求項２】
前記制御手段は、前記表示手段への画像の表示に応じて前記特定の領域への画像の表示を制御することを特徴とする請求項１に記載の情報処理装置。
【請求項３】
前記制御手段は、前記表示手段に画像を表示させると、前記特定の領域への画像の表示を止めるよう制御することを特徴とする請求項２に記載の情報処理装置。
【請求項４】
前記制御手段は、前記ユーザが前記特定の領域又は前記表示手段から遠ざかったことが検出された場合、前記特定の領域への画像の表示を再開することを特徴とする請求項３に記載の情報処理装置。
【請求項５】
前記制御手段は、前記表示手段に画像を表示させた場合でも前記特定の領域への画像の表示を継続して行うよう制御することを特徴とする請求項２に記載の情報処理装置。
【請求項６】
前記表示手段は、前記特定の領域から所定の範囲内に設置されることを特徴とする請求項１に記載の情報処理装置。
【請求項７】
前記表示手段は、複数の画面を有していることを特徴とする請求項１に記載の情報処理装置。
【請求項８】
前記表示手段は、それぞれに画面を有する複数の端末装置により構成されることを特徴とする請求項７に記載の情報処理装置。
【請求項９】
前記表示手段は、単一の画面を有しており、
前記制御手段は、前記表示手段に表示されている画像を前記ユーザが見ているときに他のユーザが前記特定の領域に近付いた場合、前記表示手段の画面を分割して前記ユーザ及び前記他のユーザそれぞれに分割画面を対応付けることを特徴とする請求項１に記載の情報処理装置。
【請求項１０】
前記制御手段は、前記表示手段の前記他のユーザが近付いてきた側の分割画面に前記他のユーザを対応付けることを特徴とする請求項９に記載の情報処理装置。
【請求項１１】
前記制御手段は、前記特定の領域からいずれかのユーザが遠ざかった場合、遠ざかったユーザに対応付けした分割画面に所定の情報を表示させることを特徴とする請求項９に記載の情報処理装置。
【請求項１２】
前記制御手段は、前記表示手段からいずれかのユーザが遠ざかったことで一ユーザのみが前記表示手段を見るようになった場合、画面分割を解除することを特徴とする請求項９に記載の情報処理装置。
【請求項１３】
前記制御手段は、前記表示手段に近付いているユーザが検出されない場合、前記表示手段への表示を止める、又は所定の情報を表示させることを特徴とする請求項４に記載の情報処理装置。
【請求項１４】
前記表示手段は、前記ユーザが携帯する表示機能を搭載した機器であることを特徴とする請求項１に記載の情報処理装置。
【請求項１５】
前記制御手段は、ユーザが前記特定の領域に近付いたときに他のユーザにより前記表示手段が使用中であった場合、画像を前記ユーザが携帯する機器に表示させることを特徴とする請求項１に記載の情報処理装置。
【請求項１６】
前記制御手段は、前記特定の領域に表示されている画像に関連する情報を示す画像を前記表示手段に表示させることを特徴とする請求項１に記載の情報処理装置。
【請求項１７】
前記制御手段は、前記特定の領域に複数の画像を表示させる場合、当該各画像に関連する情報の一覧を示す画像を前記表示手段に表示させることを特徴とする請求項１６に記載の情報処理装置。
【請求項１８】
前記制御手段は、前記表示手段がユーザに操作させる操作手段を兼用する場合、前記特定の領域に表示させた操作画面の画像と同様の画像を前記表示手段に表示させることを特徴とする請求項１に記載の情報処理装置。
【請求項１９】
コンピュータを、
空中の特定の領域への画像の表示を制御すると共に、ユーザが前記特定の領域に近付いたことが検出された場合、画像を空中以外の表示手段に表示させるよう制御する制御手段として機能させるためのプログラム。
【発明の詳細な説明】
【技術分野】
【０００１】
本発明は、情報処理装置及びプログラムに関する。
【背景技術】
【０００２】
近年、プロジェクタなどを使わずに何もない空間に映像を出現させる技術がある。画像が空中空間に表示されることから、画像が表示される空中空間のことを「空中ディスプレイ」とも呼ばれている。
【先行技術文献】
【特許文献】
【０００３】
【特許文献１】特開２０１６−０９５６３４号公報
【特許文献２】特開２０１５−０６０２９５号公報
【発明の概要】
【発明が解決しようとする課題】
【０００４】
本発明は、空中の特定の領域に表示される画像の情報を補填することを目的とする。
【課題を解決するための手段】
【０００５】
本発明に係る情報処理装置は、空中の特定の領域への画像の表示を制御すると共に、ユーザが前記特定の領域に近付いたことが検出された場合、画像を空中以外の表示手段に表示させるよう制御する制御手段を有する。
【０００６】
また、前記制御手段は、前記表示手段への画像の表示に応じて前記特定の領域への画像の表示を制御することを特徴とする。
【０００７】
また、前記制御手段は、前記表示手段に画像を表示させると、前記特定の領域への画像の表示を止めるよう制御することを特徴とする。
【０００８】
また、前記制御手段は、前記ユーザが前記特定の領域又は前記表示手段から遠ざかったことが検出された場合、前記特定の領域への画像の表示を再開することを特徴とする。
【０００９】
また、前記制御手段は、前記表示手段に画像を表示させた場合でも前記特定の領域への画像の表示を継続して行うよう制御することを特徴とする。
【００１０】
また、前記表示手段は、前記特定の領域から所定の範囲内に設置されることを特徴とする。
【００１１】
また、前記表示手段は、複数の画面を有していることを特徴とする。
【００１２】
また、前記表示手段は、それぞれに画面を有する複数の端末装置により構成されることを特徴とする。
【００１３】
また、前記表示手段は、単一の画面を有しており、前記制御手段は、前記表示手段に表示されている画像を前記ユーザが見ているときに他のユーザが前記特定の領域に近付いた場合、前記表示手段の画面を分割して前記ユーザ及び前記他のユーザそれぞれに分割画面を対応付けることを特徴とする。
【００１４】
また、前記制御手段は、前記表示手段の前記他のユーザが近付いてきた側の分割画面に前記他のユーザを対応付けることを特徴とする。
【００１５】
また、前記制御手段は、前記特定の領域からいずれかのユーザが遠ざかった場合、遠ざかったユーザに対応付けした分割画面に所定の情報を表示させることを特徴とする。
【００１６】
また、前記制御手段は、前記表示手段からいずれかのユーザが遠ざかったことで一ユーザのみが前記表示手段を見るようになった場合、画面分割を解除することを特徴とする。
【００１７】
また、前記制御手段は、前記表示手段に近付いているユーザが検出されない場合、前記表示手段への表示を止める、又は所定の情報を表示させることを特徴とする。
【００１８】
また、前記表示手段は、前記ユーザが携帯する表示機能を搭載した機器であることを特徴とする。
【００１９】
また、前記制御手段は、ユーザが前記特定の領域に近付いたときに他のユーザにより前記表示手段が使用中であった場合、画像を前記ユーザが携帯する機器に表示させることを特徴とする。
【００２０】
また、前記制御手段は、前記特定の領域に表示されている画像に関連する情報を示す画像を前記表示手段に表示させることを特徴とする。
【００２１】
また、前記制御手段は、前記特定の領域に複数の画像を表示させる場合、当該各画像に関連する情報の一覧を示す画像を前記表示手段に表示させることを特徴とする。
【００２２】
また、前記制御手段は、前記表示手段がユーザに操作させる操作手段を兼用する場合、前記特定の領域に表示させた操作画面の画像と同様の画像を前記表示手段に表示させることを特徴とする。
【００２３】
本発明に係るプログラムは、コンピュータを、空中の特定の領域への画像の表示を制御すると共に、ユーザが前記特定の領域に近付いたことが検出された場合、画像を空中以外の表示手段に表示させるよう制御する制御手段として機能させる。
【発明の効果】
【００２４】
請求項１に記載の発明によれば、空中の特定の領域に表示される画像の情報を補填することができる。
【００２５】
請求項２に記載の発明によれば、表示手段と特定の領域への表示を連携させることができる。
【００２６】
請求項３に記載の発明によれば、表示手段への表示に注目させることができる。
【００２７】
請求項４に記載の発明によれば、ユーザが去った後に特定の領域への画像の表示を再開することができる。
【００２８】
請求項５に記載の発明によれば、特定の領域に画像を継続して表示させることができる。
【００２９】
請求項６に記載の発明によれば、ユーザによる画像の視聴先を特定の領域から表示手段に容易に移行させることができる。
【００３０】
請求項７に記載の発明によれば、空中の特定の領域に近付いた複数のユーザそれぞれに画面を割り当てることができる。
【００３１】
請求項８に記載の発明によれば、空中の特定の領域に近付いた複数のユーザそれぞれに異なる情報を提供することができる。
【００３２】
請求項９に記載の発明によれば、表示手段が一画面しか有していない場合でもユーザ毎に異なる情報を提供することができる。
【００３３】
請求項１０に記載の発明によれば、表示手段に近付いたユーザの便宜を図ることができる。
【００３４】
請求項１１に記載の発明によれば、画像の表示が不要となった分割画面を情報の提供に有効利用することができる。
【００３５】
請求項１２に記載の発明によれば、表示手段を継続して見ているユーザの便宜を図ることができる。
【００３６】
請求項１３に記載の発明によれば、表示手段への有用でない画像の表示を止めることができる。
【００３７】
請求項１４に記載の発明によれば、ユーザが携帯する機器を画像の表示に有効利用することができる
【００３８】
請求項１５に記載の発明によれば、表示手段が他のユーザによって使われているときでもユーザが携帯する機器を表示手段として利用することができる。
【００３９】
請求項１６に記載の発明によれば、特定の領域に表示されている画像と表示手段に表示させる画像が示す情報とを関連付けることができる。
【００４０】
請求項１７に記載の発明によれば、前記特定の領域に複数の画像を表示される画像に関連する情報の一覧をユーザに提供することができる。
【００４１】
請求項１８に記載の発明によれば、特定の領域の代わりに表示手段を操作手段としてユーザに利用させることができる。
【００４２】
請求項１９に記載の発明によれば、空中の特定の領域に表示される画像の情報を補填することができる。
【図面の簡単な説明】
【００４３】
【図１】本実施の形態における表示システムの全体構成を示す図である。
【図２】本実施の形態における情報処理装置を形成するコンピュータのハードウェア構成図である。
【図３】本実施の形態における情報処理装置のブロック構成図である。
【図４】本実施の形態における液晶パネルに表示されるメニュー画面及びそのメニュー画面に対する選択操作により表示されるサブメニュー画面の一例を示す図である。
【発明を実施するための形態】
【００４４】
以下、図面に基づいて、本発明の好適な実施の形態について説明する。
【００４５】
図１は、本実施の形態における表示システムの全体構成を示す図である。図１には、情報処理装置１０、空中ディスプレイ装置１、人検出装置２、液晶パネル３、空中ディスプレイ４及び携帯端末５が示されている。情報処理装置１０は、詳細は後述するように液晶パネル３及び空中ディスプレイ４の表示制御を含む表示システムにおける全体制御を行う。
【００４６】
情報処理装置１０には、空中ディスプレイ装置１及び人検出装置２が有線又は無線にて接続されている。空中ディスプレイ装置１は、何もない実空間（空中）の特定の領域に画像を立体的に表示することのできる表示装置のことをいう。空中ディスプレイ装置１は、例えば、１又は複数の据え置き型の投影機を使い、レンズやハーフミラー等を組み合わせることにとによって空中で光を結像させたりすることで空中に画像を表示する。光素子を発光させて映像を表示する装置やスクリーンを必要とする表示装置とは異なる。複数の投影機を使う場合、異なる方向から投影させて結像させる。なお、投影機は、据え置き型でなくてもスマートフォンのような携帯型の機器で投影してもよい。もちろん、空中空間に表示できる技術であれば、この技術に限定して空中ディスプレイ装置１を構成する必要はない。例えば、眼鏡等の付属物を利用する技術を除外するものではない。
【００４７】
また、本実施の形態では、空中ディスプレイ装置１が画像を表示する空中空間における特定の領域を「空中ディスプレイ」と称することにする。空中に表示するため液晶パネル３のような表示画面は存在しない。従って、空中ディスプレイ４の大きさは制限されないということもできる。ただ、例えば、画像が投影機によって空中に表示される場合、投影機によって投影される範囲が画像の表示領域となり、投影機によって投影される範囲によって空中ディスプレイ４の大きさは決定される。
【００４８】
本実施の形態では、空中ディスプレイ４をデジタルサイネージとして利用することを想定して説明する。「デジタルサイネージ」というのは、屋外、店頭、公共空間、交通機関など、あらゆる場所でディスプレイなどの電子的な表示機器を使って情報を発信するシステムの総称であるが、本実施の形態では、電子的な表示機器の代わりに実体のない空中ディスプレイ４を利用する。デジタルサイネージとして利用することを想定しているため、空中ディスプレイ４は、通路等公衆の面前に触れる場所に形成される。
【００４９】
液晶パネル３は、空中ディスプレイ４に表示されている画像に近付いた人間に使用させるユーザインタフェースとして設けられている。従って、液晶パネル３は、空中ディスプレイ４から近傍の所定の範囲内に設置される。所定の範囲内というのは、空中ディスプレイ４に近付いた人間が液晶パネル３の存在に気づき、液晶パネル３の設置位置まで移動して即座に液晶パネル３を使用できる、という空中ディスプレイ４との位置関係にあることをいう。空中ディスプレイ４は、通路等のいずれかの場所で画像を表示することになるが、液晶パネル３は、通行人の邪魔にならないように、例えば通路等の側面（壁）付近に設置されることが好ましい。なお、図１には、１台の液晶パネル３を示したが、後述するように利用形態によって複数台設置される場合がある。
【００５０】
液晶パネル３は、画像等を表示する空中以外の表示手段として設けられている。また、ユーザにより操作される操作手段でもある。本実施の形態では、空中以外の表示手段として液晶パネル３を例にして説明するが、これに限らず、例えば液晶パネル３等の空中以外にユーザインタフェースを有する情報処理装置であってもよい。この情報処理装置は、パーソナルコンピュータ（ＰＣ）、タブレットＰＣ、モバイルＰＣ、スマートフォン、携帯電話等の装置でよく、情報処理装置１０との間でデータを有線又は無線により送受信する機能を少なくとも有する必要がある。ＰＣの場合、表示手段として液晶画面、操作手段としてマウスやキーボード等のように、表示手段と操作手段を異なる手段にて構成してもよい。
【００５１】
また、表示手段は、フレキシブルディスプレイで形成してもよい。フレキシブルディスプレイとして、例えば、有機エレクトロルミネッセンス型のディスプレイ（フレキシブル有機ＥＬディスプレイ）、電子ペーパー型のディスプレイ、フレキシブル液晶ディスプレイ等を用いる。これら以外の表示方式が採用されたフレキシブルディスプレイが用いられてもよい。フレキシブルディスプレイは、表示部分が柔軟に変形可能なディスプレイであり、例えば、曲げたり、折り畳んだり、巻いたり、捩ったり、伸ばしたりすることが可能なディスプレイである。表示手段全体がフレキシブルディスプレイによって構成されていてもよいし、フレキシブルディスプレイとそれ以外の構成とが機能的又は物理的に分かれていてもよい。
【００５２】
人検出装置２は、空中ディスプレイ４に表示されている画像に人間が近付いたことを検出する装置である。例えば、赤外線センサや集電センサなどのセンサ手段を用いてもよいし、その他の手段を用いてもよい。図１には、人間が空中ディスプレイ４に近付いたと判断する範囲を模式的に破線６で示している。
【００５３】
また、人検出装置２は、空中ディスプレイ４に表示されている画像に対して人間が操作する場合、操作子が指し示す位置（画像の部位）を検出する。操作子は、画像の部位を指し示すことによって何らかの操作をする際に用いられる。操作子は、画像に対して操作する物、例えば、人間の指先や人間が用いるペンなどの物体である。
【００５４】
更に、人検出装置２は、液晶パネル３に表示されている画像が視認可能な位置、また操作可能な位置まで人間が近付いたことを検出する。図１には、人間が液晶パネル３に表示されている画像を視認できる範囲を模式的に破線７で示している。人間に操作を要求する画像を液晶パネル３に表示する場合、破線７で示される範囲は、操作できる範囲を示すことになる。本実施の形態では、説明の簡略化のために１台の人検出装置２によって空中ディスプレイ４又は液晶パネル３に近付いた人間を検出するように図示したが、別個に人検出装置２を設けてもよい。
【００５５】
携帯端末５は、空中ディスプレイ４に近付く人間（以下、「ユーザ」）により携行される端末装置である。携帯端末５は、スマートフォン、携帯電話、モバイルＰＣ（パーソナルコンピュータ）、タブレットＰＣ等の装置であり、情報処理装置１０との間でデータを無線により送受信する機能を有する。送受信に用いる通信方式は、例えば、赤外線通信、可視光通信、Ｗｉ−Ｆｉ（登録商標）通信、近接無線通信（例えばＮＦＣ（Near Field Communication）等）、等である。近接無線通信としては、Ｆｅｌｉｃａ（登録商標）、Ｂｌｕｅｔｏｏｔｈ（ブルートゥース）（登録商標）、ＲＦＩＤ（Radio Frequency Identifier）等が用いられる。もちろん、別の方式の無線通信が近接無線通信として用いられてもよい。情報処理装置１０は、例えば、通信相手に応じて通信方式や周波数帯域を切り替えたり、周囲の環境に応じて通信方式や周波数帯域を切り替えたりしてもよい。
【００５６】
図２は、本実施の形態における情報処理装置１０を形成するコンピュータのハードウェア構成図である。本実施の形態において情報処理装置１０を形成するコンピュータは、図２に示すようにＣＰＵ２１、ＲＯＭ２２、ＲＡＭ２３、ハードディスクドライブ（ＨＤＤ）２４、通信インタフェース（ＩＦ）２５、１又は複数の液晶パネル３を有線又は無線にて接続する入出力コントローラ２６、空中ディスプレイ装置１を有線又は無線にて接続する装置コントローラ２７及び人検出装置２を有線又は無線にて接続する装置コントローラ２８を内部バス２９に接続して構成される。
【００５７】
本実施の形態では、ＰＣ又はサーバコンピュータで構成することを想定しているが、これに限らず、タブレットＰＣ、モバイルＰＣ、スマートフォン等の装置で構成してもよい。
【００５８】
図３は、本実施の形態における情報処理装置１０のブロック構成図である。本実施の形態における情報処理装置１０は、空中ユーザインタフェース（ＵＩ）部１１、パネルインタフェース（ＵＩ）部１２、人検出部１３、通信制御部１４、制御部１５、表示データ記憶部１６及び位置情報記憶部１７を有している。なお、本実施の形態の説明に用いない構成要素については図３から省略している。
【００５９】
空中ＵＩ部１１は、空中ディスプレイ４に対するユーザインタフェース部であり、装置制御部と位置特定部を含む。装置制御部は、制御部１５による表示制御に従い空中ディスプレイ装置１の動作を制御することにより画像を空中ディスプレイ４に表示させる。位置特定部は、人検出装置２により検出されたユーザが空中ディスプレイ４に表示されている画像に対して何らかの操作をした場合、人検出装置２により検出された操作子の位置を特定する。空中ディスプレイ４における所定の位置を原点とした３次元座標で空間を表現する場合、位置特定部は、検出した操作子の位置を座標データで特定する。なお、本実施の形態では、通路（地面）の水平方向であって画像の幅方向をｘ軸方向、通路の垂直方向（画像の高さ方向）をｙ軸方向、そして通路の水平方向であって機器画像の奥行き方向をｚ軸方向とする。
【００６０】
パネルＵＩ部１２は、液晶パネル３により実現されるユーザインタフェース部であり、表示部と操作部とを有する。表示部は、液晶パネル３に画像を表示する。操作部は、液晶パネル（タッチパネル）３に対する操作を受け付ける。人検出部１３は、人検出装置２と連携動作し、空中ディスプレイ４と液晶パネル３にユーザが近付いたことを検出する。通信制御部１４は、携帯端末５との間の通信を制御する。制御部１５は、情報処理装置１０の各部の動作を制御する。制御部１５は、制御手段として機能し、特に空中ディスプレイ４及び液晶パネル３に対する表示制御を行う。本実施の形態では、制御部１５が空中ディスプレイ４及び液晶パネル３双方の表示制御手段として機能するように構成したが、別個の手段にて構成するようにしてもよい。
【００６１】
表示データ記憶部１６には、空中ディスプレイ４又は液晶パネル３に表示される画像が記憶されている。本実施の形態では、空中ディスプレイ４をデジタルサイネージとして利用することを想定しているので、表示される画像としては、主として広告に関連する情報、例えば、商品、商品説明、購入画面やメニュー画面等各種画面の画像等である。また、空中ディスプレイ４が表示される施設、施設の設備、場所等の案内情報が含まれていてもよい。更に、携帯端末５で実行させるアプリケーションが記憶される。
【００６２】
位置情報記憶部１７には、空中ディスプレイ４が表示される場所の位置情報、液晶パネル３が設置されている場所の位置情報が登録されている。この位置情報は、ユーザが空中ディスプレイ４又は液晶パネル３に近付いたこと又は遠ざかったことを検出するための基準となる位置情報である。位置情報は、所定の基準位置からの座標値若しくは経緯度情報（測位情報）で表してもよい。なお、本実施の形態の説明に用いる「近付いた」及び「遠ざかった」という用語については、動作の説明の後に説明する。
【００６３】
情報処理装置１０における各構成要素１１〜１５は、情報処理装置１０を形成するコンピュータと、コンピュータに搭載されたＣＰＵ２１で動作するプログラムとの協調動作により実現される。また、各記憶部１６，１７は、情報処理装置１０に搭載されたＨＤＤ２４にて実現される。あるいは、ＲＡＭ２３又は外部にある記憶手段をネットワーク経由で利用してもよい。
【００６４】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００６５】
前述したように、本実施の形態においては、空中ディスプレイ４をデジタルサイネージとして利用することを想定している。従って、空中ディスプレイ４に表示されている画像（広告等）に興味を持った者（通路の歩行者等）は、画像を見ようとして空中ディスプレイ４に近付く。ところで、空中で結像させることによって画像を空中ディスプレイ４に表示させる場合、表示される画像全体が薄く、画像を通して反対側の風景が見える程度に少し透けて表示される場合がある。従って、表示内容（画像、テキスト等）によっては、遠くから、あるいは近付いても視認しづらい場合がある。特に、画像の含まれている文字は、フォントや文字サイズにもよるが、判読しづらい場合がある。
【００６６】
そこで、本実施の形態においては、空中ディスプレイ４に表示されている画像に興味を持ってユーザが空中ディスプレイ４に近付いたことが検出された場合、画像を液晶パネル３に表示させるよう制御するようにしたことを特徴としている。前述したように、液晶パネル３は、空中ディスプレイ４の近くに設置されているので、空中ディスプレイ４に近付いたユーザは、液晶パネル３に気づき、液晶パネル３の表示を見るようになる。あるいは操作したりするようになる。液晶パネル３は、空中ディスプレイ４より相対的に視認性がよいため、空中ディスプレイ４に表示される画像といった情報の視認性を向上させて情報を補填することができる。ここで、情報を補填する例としては、空中表示と同じ内容であってもよいし、異なる情報や詳細情報であってもよい。
【００６７】
次に、本実施の形態における動作について説明する。
【００６８】
制御部１５は、広告等の画像を表示データ記憶部１６から読み出し、空中ＵＩ部１１に指示することによって画像を空中ディスプレイ４に表示させる。なお、ここでは、複数の画像を切替表示するのではなく単一の画像を表示させるものとして説明する。
【００６９】
表示されている画像（広告）に興味を持ったユーザは、表示内容を確認しようとして空中ディスプレイ４に近付く。人検出装置２がその空中ディスプレイ４に近付いたユーザを検出すると、制御部１５は、パネルＵＩ部１２に指示することによって、空中ディスプレイ４に表示されている画像と同じ画像を液晶パネル３に表示させる。
【００７０】
空中ディスプレイ４の近くにある液晶パネル３に空中ディスプレイ４と同じ画像が表示されたことに気づいたユーザは、液晶パネル３の前まで移動する。なお、空中ディスプレイ４に、液晶パネル３に誘導するメッセージや液晶パネル３の設置位置を示す情報等を表示するなどして、液晶パネル３の設置位置までユーザを誘導するようにしてもよい。
【００７１】
前述したように、液晶パネル３には、空中ディスプレイ４と同じ画像が表示されているので、ユーザは、液晶パネル３の表示が空中ディスプレイ４の表示と関連付けられていることがわかる。ここでは、液晶パネル３に誘導されたユーザは、１人の場合について説明する。この場合、ユーザは、液晶パネル３を占有することになる。
【００７２】
液晶パネル３には、空中ディスプレイ４と同じ画像が表示されているが、この画像にメニューボタンを含めておいてもよい。ユーザは、空中ディスプレイ４では判読しにくい文字情報等を、液晶パネル３での表示で確認するが、広告の対象となっている商品等に興味がある場合、そのメニューボタンを選択する。これにより、制御部１５は、表示していた画像（広告）に該当するメニュー画面を表示データ記憶部１６から読み出し、パネルＵＩ部１２に指示することによって液晶パネル３に表示させる。メニュー画面には、例えば、施設案内及び広告対象の商品に関連する情報を含めておく。このように、制御部１５は、空中ディスプレイ４が表示される施設に関する情報や、空中ディスプレイ４に表示した画像（広告）に関連する情報の一覧を液晶パネル３に表示させる。施設案内には、施設の全体見取図、トイレや非常口の位置等の情報が含まれる。広告対象の商品に関連する情報には、商品のラインアップが含まれている。また、メニュー画面からメニュー項目がユーザにより選択されると、選択された項目に該当する情報が表示される。例えば、いずれかの商品が選択されると、サブメニュー画面が表示され、そのサブメニュー画面には、その商品の詳細説明、価格、購入画面に遷移させる操作ボタン等が表示される。図４には、液晶パネル３に表示されるメニュー画面及びそのメニュー画面から商品として携帯電話Ｂが選択された場合の表示の一例が示されている。
【００７３】
そして、ユーザは、ボタンの選択操作等何らかの操作を行うが、制御部１５は、そのユーザ操作に応じて対応する画像（詳細な商品説明等）を表示データ記憶部１６から読み出し、液晶パネル３に表示させる。また、購入画面に遷移したときなど、必要により対応するアプリケーションを起動して購入手続をユーザにさせる。
【００７４】
なお、ユーザは、空中ディスプレイ４に対しても操作可能である。例えば、空中ディスプレイ装置１が表示した画像の操作ボタンと人検出装置２が検出したユーザの指先の位置を照合し、その位置が合致している状態から更に指先の奥行き方向（ｚ軸方向）への動きを検出することでユーザが操作ボタンを押す（選択する）という操作を検出する。ユーザは、空中ディスプレイ４に実際にタッチして（触れて）操作することはできないので、空中ディスプレイ４に表示されるユーザ操作画面は、タッチしないタッチパネルとも言える。
【００７５】
上記のように画像を液晶パネル３に表示したことに応じて、制御部１５は、空中ディスプレイ４に対する表示を次のように制御する。例えば、液晶パネル３に画像を表示させると、空中ディスプレイ４への表示を止める。ユーザの近くで不要となった空中ディスプレイ４の表示が煩わしいと感じるかもしれないからである。これにより、ユーザは、液晶パネル３への表示に注目することになる。また、ここでは、液晶パネル３は１台のみで、更に他のユーザが空中ディスプレイ４の表示に興味を持ったとしても他のユーザが使用できる液晶パネル３はない。つまり、空中ディスプレイ４を用いた液晶パネル３への誘導は不要である。なお、空中ディスプレイ４への表示の停止は、画像を液晶パネル３に表示したことに伴い行うが、ユーザが液晶パネル３に近付いたことを確認してから行うようにしてもよい。また、ユーザが液晶パネル３に近付いたことが検出されたら即時に行うようにしてもよいし、所定時間後に行うようにしてもよい。
【００７６】
仮に、液晶パネル３が複数用意されている場合、あるいは後述するように液晶パネル３が大画面であって複数に画面分割して画像を表示することが可能な場合、ユーザ毎に画面を割り当てることができる。このように、他のユーザにも表示画面を提供できる場合には、空中ディスプレイ４への表示を継続して行うようにしてもよい。
【００７７】
人検出部１３によりユーザが液晶パネル３から遠ざかったことが検出された場合、制御部１５は、空中ディスプレイ４への画像の表示を再開することによってユーザを引き寄せるようにする。また、画像を液晶パネル３に表示したことに応じて空中ディスプレイ４への表示を止めたのにもかかわらず、ユーザが液晶パネル３に近付くことなく立ち去った場合、つまり、人検出部１３によりユーザが空中ディスプレイ４から遠ざかったことが検出された場合にも、制御部１５は、空中ディスプレイ４への画像の表示を再開する。なお、画像の表示の再開は、ユーザが遠ざかったことが検出されたら即時に行うようにしてもよいし、所定時間後に行うようにしてもよい。
【００７８】
本実施の形態では、ユーザが空中ディスプレイ４の表示との関連付けがわかりやすいように、液晶パネル３にも最初は空中ディスプレイ４と同じ画像を表示するようにした。但し、これに限る必要はなく、空中ディスプレイ４に表示されている画像（広告）に関連する情報を示す画像、例えば前述したメニュー画面などを最初から、すなわち初期画面として液晶パネル３に表示させるようにしてもよい。
【００７９】
ところで、前述したように、空中ディスプレイ４と同じ画像を表示する表示手段として、複数の画面を用意してもよい。例えば、液晶パネル３を複数用意して、複数のユーザに対応できるようにしてもよい。上記例示したように、商品の購入画面を表示し、また操作させることを考慮すると、ユーザ毎に画面（液晶パネル３）を割り当てるのが好ましい。情報処理装置１０を、液晶パネル３を有する端末装置と連携させるようにすればユーザ個々に対応する処理の効率が向上できる。また、ユーザ毎に異なる情報を提供することも容易に対応可能となる。
【００８０】
また、ユーザ毎に画像（情報）を表示するために液晶パネル３を画面分割してもよい。例えば、液晶パネル３が相対的に大きな画面である場合において、ユーザが液晶パネル３に表示されている画像を見ているときに他のユーザが空中ディスプレイ４に近付いた場合、液晶パネル３の画面を分割してユーザ及び後から空中ディスプレイ４に近付いた他のユーザそれぞれに分割画面を対応付ける。例えば、既に１人のユーザ（例えば、ユーザＡ）が液晶パネル３への表示を見ているときに他のユーザ（例えば、ユーザＢ）が空中ディスプレイ４に近付いた場合、制御部１５は、液晶パネル３の画面を左右に２分割する。そして、制御部１５は、液晶パネル３のユーザＢが近付いてきた側の分割画面にユーザＢを対応付ける。例えば、ユーザＢがユーザＡの右側から、液晶パネル３に近付いたとすると、右側の分割画面をユーザＢに割り当てる。画面分割前はユーザＡのために画像を全画面に表示していたが、画面分割後はユーザＡに対する画像を左側の分割画面に表示することになる。このように、一画面を画面分割して表示するようにしてもよい。
【００８１】
ここで、更に他のユーザ（例えば、ユーザＣ）が空中ディスプレイ４に近付いた場合、制御部１５は、液晶パネル３の画面を縦方向に３分割する。そして、ユーザＣがユーザＢの右側から、液晶パネル３に近付いたとすると、一番右側の分割画面をユーザＣに割り当てる。そして、一番左側の分割画面をユーザＡに、中央の分割画面をユーザＢに、それぞれ割り当てる。なお、画面の分割数は、ユーザの数とする必要はなく、ユーザ数以上の画面数に分割すればよい。この例のように３人のユーザに画像（情報）を提供する場合には、４分割するようにしてもよい。ユーザ数より多くの分割画面を形成する場合、空いている分割画面には、各ユーザに依存しない所定の情報（画像）、例えば、空中ディスプレイ４に表示している画像（広告等）を表示してもよい。
【００８２】
分割画面の前にいたユーザ（例えば、ユーザＡ）が液晶パネル３から遠ざかったことが検出されると、制御部１５は、遠ざかったユーザＡに対応付けした分割画面に所定の情報（画像）、例えば、空中ディスプレイ４に表示している画像（広告等）を表示してもよい。あるいは、画像の表示を止めてもよい。
【００８３】
また、液晶パネル３からいずれかのユーザが遠ざかったことで一ユーザのみが液晶パネル３を見るようになった場合、画面分割を解除してもよい。これにより、元の１画面での表示に戻ることになるが、この場合、液晶パネル３には、液晶パネル３の前にいるユーザに対応する画像が表示されることになる。
【００８４】
そして、液晶パネル３から全てのユーザが遠ざかった場合、換言すると液晶パネル３に近付いているユーザが検出されない場合、制御部１５は、液晶パネル３への表示を止める。液晶パネル３への表示を止めるというのは、制御部１５が液晶パネル３に画像を表示させないようにしてもよいし、液晶パネル３の電源を切る（通電を停止する）ようにしてもよい。あるいは、所定の情報（画像）、例えば、空中ディスプレイ４に表示している画像（広告等）を表示してもよい。
【００８５】
以上説明したように、本実施の形態においては、複数のユーザが空中ディスプレイ４に近付いたときには、複数の画面を用意して対応するが、その他にも次のようにして対応してもよい。例えば、近年では、多くのユーザが携帯端末５を持ち歩いている。従って、制御部１５は、ユーザが携帯している携帯端末５を表示手段として利用する。すなわち、制御部１５は、希望したユーザに対して画像を携帯端末５に通信制御部１４を介して送信して表示させてもよい。この場合、例えば、ユーザは、所定のアプリケーションを携帯端末５にダウンロードして、画像を受信、表示、更に操作できるようにする。これにより、ユーザは、自分が興味を持って見ている画像を他のユーザに見られる心配がない。特に、購入画面を表示させて個人情報を入力する必要があるときには、個人の携帯端末５を用いているのでプライバシーを維持できる。あるいは、液晶パネル３が他のユーザによって占有されていることからユーザが液晶パネル３を利用できない場合に画像をユーザの携帯端末５に送信して表示させてもよい。
【００８６】
上記説明では、複数の画像を切替表示するのではなく単一の画像を空中ディスプレイ４に表示させるものとして説明した。デジタルサイネージでは、表示する画像を周期的に切り替えながら表示する場合が少なくない。例えば、広告画像Ａ，Ｂ，Ｃが所定時間間隔毎に切り替えられながら空中ディスプレイ４に表示されている場合、液晶パネル３への表示は、空中ディスプレイ４と同期を取って切り替えるのが好適である。つまり、広告画像Ａが空中ディスプレイ４に表示されると、液晶パネル３にも広告画像Ａが表示される。空中ディスプレイ４の表示が広告画像Ａから広告画像Ｂに切り替わると、液晶パネル３における表示も広告画像Ａから広告画像Ｂに切り替わる。
【００８７】
ここで、ユーザが空中ディスプレイ４に表示されている広告画像Ａに興味を持って空中ディスプレイ４に近付き、そして液晶パネル３に近付いたとする。ここで、ユーザが液晶パネル３に近付いたときには、空中ディスプレイ４の表示が広告画像Ａから広告画像Ｂに切り替わっていて、これに伴い液晶パネル３における表示も広告画像Ａから広告画像Ｂに切り替わっていたとする。そうすると、広告画像Ａの商品に興味を持っていたのにもかかわらず、液晶パネル３には広告画像Ｂが表示されていることになる。
【００８８】
そこで、本実施の形態においては、空中ディスプレイ４の表示対象となっている画像（上記例の広告画像Ａ，Ｂ，Ｃ）をユーザが選択できる画像選択画面を広告画像（ＡまたはＢまたはＣ）と合わせて液晶パネル３に表示するようにしてもよい。これにより、ユーザは、画像選択画面から所望する広告画像Ａを選択することによって、広告画像Ａまたは広告画像Ａに関連する画像（情報）を液晶パネル３に表示させることができる。
【００８９】
また、空中ディスプレイ４と液晶パネル３との表示に同期を取る（画像切替えの周期を合わせる）にしても、上記のように空中ディスプレイ４と同じタイミングで液晶パネル３の表示を切り替えるのではなく、液晶パネル３への表示を切り替えるタイミングを若干遅らせるなどして対応してもよい。つまり、空中ディスプレイ４と液晶パネル３との表示の切替周期を合わせるものの、空中ディスプレイ４への表示が広告画像Ａから広告画像Ｂに切り替わったとしても、空中ディスプレイ４への表示を見たユーザが液晶パネル３の設置位置まで移動して液晶パネル３の表示内容を確認するまでに要する時間、液晶パネル３の表示の切替えを遅延させる。このような表示制御を行うことで、ユーザにしてみれば、空中ディスプレイ４に表示されている画像と同じ画像が液晶パネル３に表示されているので都合よい。
【００９０】
ここで、本実施の形態おいて用いている用語「近付いた」及び「遠ざかった」について説明する。
【００９１】
前述したように、本実施の形態においては、ユーザが空中ディスプレイ４に表示されている画像（広告等）に興味を持って近付いたときに、画像を空中ディスプレイ４以外の表示手段、本実施の形態の場合は液晶パネル３に表示させるよう制御することを特徴としている。
【００９２】
本実施の形態では、空中ディスプレイ４に近付いたユーザを検出するが、厳密には、空中ディスプレイ４の近傍を単に通り抜ける者を検出対象とするのではなく、上記のように空中ディスプレイ４に表示されている画像に興味を持ち、その画像を見ようという意思に従って空中ディスプレイ４に近付いた人を検出するのが好ましい。従って。図１において破線６で示した範囲は、人検出装置２における検出可能な範囲というよりむしろ、空中ディスプレイ４に表示されている画像を見るという意思に従って人が近付いてきたと判断しうる所定の範囲と設定するのが好適である。所定の範囲というのは、位置情報記憶部１７に登録されている空中ディスプレイ４の表示位置及び液晶パネル３の設置位置を中心とし、その位置からの距離によって定められる。人検出部１３におけるユーザの検出内容に基づきユーザの位置は特定されるが、ユーザが空中ディスプレイ４に「近付いた」かどうかは、人検出部１３により特定されるユーザの位置（ユーザが所定の範囲内にいるかどうか）のみに基づき判断してもよいが、これに加えて、所定時間長その所定の範囲（破線６）内に留まる、ユーザの頭が空中ディスプレイ４に表示されている画像を向いている（ユーザの目視方向が画像である）、などの条件との組合せによって判断してもよい。液晶パネル３に「近付いた」ということに対しても同様である。
【００９３】
また、「遠ざかった」ということは、ユーザが空中ディスプレイ４または液晶パネル３に近付いたと検出された後に、そのユーザが所定の範囲（破線６，７）内に検出されなくなったことで検出できる。
【符号の説明】
【００９４】
１  空中ディスプレイ装置、２  人検出装置、３  液晶パネル、４  空中ディスプレイ、５  携帯端末、１０  情報処理装置、１１  空中ユーザインタフェース（ＵＩ）部、１２  パネルインタフェース（ＵＩ）部、１３  人検出部、１４  通信制御部、１５  制御部、１６  表示データ記憶部、１７  位置情報記憶部、２１  ＣＰＵ、２２  ＲＯＭ、２３  ＲＡＭ、２４  ハードディスクドライブ（ＨＤＤ）、２５  通信インタフェース（ＩＦ）、２６  入出力コントローラ、２７  装置コントローラ、２８  装置コントローラ、２９  内部バス。
【図１】
2019138945.tif 000003
【図２】
2019138945.tif 000004
【図３】
2019138945.tif 000005
【図４】
2019138945.tif 000006